(57)【特許請求の範囲】
【請求項１】
乗入れ部から入出庫する車両を搭載する複数の車両搭載用パレットと、該車両搭載用パレットを格納する複数段の駐車棚と、前記車両搭載用パレットを搭載して昇降し前記駐車棚との間で該車両搭載用パレットを移載するエレベータ搬器とを備えたエレベータ式駐車装置であって、
前記駐車棚は、所定車高で分類された異高車種の車両を駐車するそれぞれの高さの駐車棚に形成され、
該駐車棚は、前記異高車種の分類数よりも１つ少ない数の駐車棚に、該駐車棚の高さ内に空の車両搭載用パレットを配置する仮置棚を有し、
前記異高車種の各駐車棚から空の車両搭載用パレットを取出して前記仮置棚に仮置きするとともに前記エレベータ搬器に搭載し、該エレベータ搬器を前記乗入れ部に待機させる制御装置を有し、
前記仮置棚は、前記エレベータ搬器が昇降する昇降路を挟んで左・右両側方の対応する位置に配置されていることを特徴とするエレベータ式駐車装置。
【請求項２】
前記駐車棚は、異高車種の車両を駐車させる駐車棚層に区分され、
該駐車棚層は、所定車高で分類された異高車種の車両を駐車する駐車棚を有し、
前記制御装置は、前記乗入れ部に待機させたエレベータ搬器の空の車両搭載用パレットに乗入れた車両を、その車高に応じた高さの前記駐車棚に格納した後、前記仮置棚に仮置きした空の車両搭載用パレットをエレベータ搬器に搭載して前記乗入れ部で待機させるように構成されている請求項１に記載のエレベータ式駐車装置。
【請求項３】
前記駐車棚層は、前記分類された異高車種の車両ごとに格納する棚層に区分され、
前記制御装置は、該棚層ごとに空の車両搭載用パレットを取出して前記仮置棚に仮置きするとともに前記エレベータ搬器に搭載するように構成されている請求項２に記載のエレベータ式駐車装置。
【請求項４】
請求項１〜３のいずれか１項に記載のエレベータ式駐車装置の制御方法であって、
前記異高車種の各車種の駐車棚から空の車両搭載用パレットを取出して前記仮置棚に仮置きするとともに前記エレベータ搬器に搭載し、該エレベータ搬器を前記乗入れ部に待機させて、該エレベータ搬器の空の車両搭載用パレットに乗入れた車両を、該車両の車高に応じた高さの前記駐車棚に格納するようにしたことを特徴とするエレベータ式駐車装置の制御方法。
【請求項５】
前記車両を車高に応じた高さの前記駐車棚に格納した後、前記仮置棚に仮置きした空の車両搭載用パレットをエレベータ搬器に搭載して前記乗入れ部で待機させるようにした請求項４に記載のエレベータ式駐車装置の制御方法。
【発明の詳細な説明】
【技術分野】
【０００１】
本発明は、異高車種の車両を混載して格納することができるエレベータ式駐車装置に関し、特に、異高車種の車両の連続入庫に対応可能なエレベータ式駐車装置とその制御方法に関する。
【背景技術】
【０００２】
従来、一般集合住宅や商業集合ビルなどには、これらに併設又は建物に組み込まれたエレベータ式駐車装置が多く設置されており、各戸・企業・商店等が利用契約をして車両を駐車している。
【０００３】
このようなエレベータ式駐車装置は、一般的に、地上の乗入れ部（入出庫階ともいう）から鉛直上方にエレベータ搬器の昇降路が形成され、この昇降路の左右両側方に複数段の駐車棚が設けられている。そして、昇降路を昇降するエレベータ搬器（以下、単に「搬器」ともいう）と各駐車棚との間で車両搭載用パレット（以下、単に「パレット」ともいう）の受渡し（移載）を行っている。
【０００４】
一方、近年、自動車の車種が多様化し、例えば、ハイルーフ車のようの高車高車、ミニバン等のミドルルーフ車のような中車高車、セダンタイプの普通乗用車のような低車高車が普及している。そのため、このように車高が大きく異なる車種（この明細書及び特許請求の範囲の書類中では、「異高車種」という）の車両を効率良く混載して格納できるようにした異高車種混載格納型（以下、「ミックス型」という）のエレベータ式駐車装置の発明がなされている。
【０００５】
例えば、上層にはハイルーフ車を格納する高駐車棚をまとめて配置し、下層には普通乗用車を格納する普通駐車棚をまとめて配置し、それぞれの棚にハイルーフ車と普通乗用車とを駐車できるようにしたエレベータ式駐車装置がある（例えば、特許文献１参照）。このエレベータ式駐車装置では、乗入れ部に空パレット搭載の搬器を待機させておき、空パレットに搭載した入庫車種の車高に応じて、その車高車種の棚へ車両を搭載した実車パレットを格納するようにしている。
【０００６】
また、他の先行技術として、普通乗用車用駐車棚とハイルーフ車用駐車棚とを上下多段に配置し、それぞれの駐車棚から空パレットを１つずつ取出して、１つの空パレットは昇降台に載置して入出庫部に待機させ、１つの空パレットは床下ピットに設置したパレット格納部に格納して車両の入出庫に備えさせるようにしたエレベータ式駐車装置がある（例えば、特許文献２参照）。
【先行技術文献】
【特許文献】
【０００７】
【特許文献１】特開２０００−３０３７１０号公報
【特許文献２】特許第３５９２８９０号公報
【発明の概要】
【発明が解決しようとする課題】
【０００８】
ところで、上記したような異高車種の車両を駐車させるエレベータ式駐車装置では、入庫する車両の車高に応じた駐車棚にそれぞれの車両を格納しなければ駐車効率の良い運用ができないため、車高に応じて駐車棚が決まる。
【０００９】
しかしながら、上記特許文献１に記載の駐車装置では、空棚の車高車種と異なる車種の入庫要求があると、その車種に対応する駐車棚から空パレットを取出し直すという余分な作業を要し、入庫待ち時間が長くなるので、異高車種の駐車に対して迅速に対応するのは難しい。
【００１０】
また、上記特許文献２に記載の駐車装置では、異高車種の駐車に対して迅速に対応することができるが、床ピットのパレット格納部から空パレットを出し入れするために、エレベータ搬器を下方に沈み込ませるための深さ分でピットを深く掘削する必要がある。そのため、新設のエレベータ式駐車装置では建築工事費が増加し、既設のエレベータ式駐車装置ではピットを深くする改造は実質上不可能であり実現できない。
【００１１】
一方、乗入れ部の天井部分に空パレットを一時的に仮置きする仮置棚を設置することも考えられる。しかし、この場合、乗入れ部内は人の出入りのために所定高さ以上を確保しなければならないので、仮置棚を配置する高さ分、駐車塔の全高を高くする必要がある。そのため、建築工事費が割高になるとともに、駐車塔の全高を高くすることにより、駐車塔の屋根部が日影規制の斜線制限線（後述する図１に示す「Ｌ」参照）に少しでも干渉するようであれば、棚階層数を１つ減らして全高を下げる必要があり、そうなると、収容台数が２つ減り、収容効率が低下してしまう。また、既設のエレベータ式駐車装置では、全高を高くする改造は実質上不可能であり実現できない。
【００１２】
その上、近年、建物の高層化に伴ってエレベータ式駐車装置も高層化（例えば、６０ｍ〜１００ｍ超）されたものがあり、そのようなエレベータ式駐車装置では、上層の駐車棚に対する入庫及び出庫のための待ち時間をできるだけ短くしたい、という要望もある。
【００１３】
そこで、本発明は、新設及び既設のエレベータ式駐車装置のいずれであっても、建築工事費を抑えて異高車種の車両の迅速な連続入庫に対応できるエレベータ式駐車装置とその制御方法を提供することを目的とする。
【課題を解決するための手段】
【００１４】
上記目的を達成するために、本発明に係るエレベータ式駐車装置は、乗入れ部から入出庫する車両を搭載する複数の車両搭載用パレットと、該車両搭載用パレットを格納する複数段の駐車棚と、前記車両搭載用パレットを搭載して昇降し前記駐車棚との間で該車両搭載用パレットを移載するエレベータ搬器とを備えたエレベータ式駐車装置であって、前記駐車棚は、所定車高で分類された異高車種の車両を駐車するそれぞれの高さの駐車棚に形成され、該駐車棚は、前記異高車種の分類数よりも１つ少ない数の駐車棚に、該駐車棚の高さ内に空の車両搭載用パレットを配置する仮置棚を有し、前記異高車種の各駐車棚から空の車両搭載用パレットを取出して前記仮置棚に仮置きするとともに前記エレベータ搬器に搭載し、該エレベータ搬器を前記乗入れ部に待機させる制御装置を有し、前記仮置棚は、前記エレベータ搬器が昇降する昇降路を挟んで左・右両側方の対応する位置に配置されている。
【００１５】
これにより、駐車棚の高さ内に設けた仮置棚に空の車両搭載用パレットを仮置きし、搬器に１つの空車両搭載用パレットを搭載しておくことで、各異高車種の駐車棚に空棚を形成することができ、異高車種のいずれの入庫に際しても、即座に空棚への連続入庫をさせることができる。しかも、駐車棚の高さ内に仮置棚を設けているので、ピットの掘削量や地上全高を増加させることなく仮置棚を形成することができ、建築工事費を抑えることができる。その上、既設のエレベータ式駐車装置における連続入庫対応への改造も容易に行える。さらに、鉛直方向位置が左・右両側方で対応した位置の仮置棚に空の車両搭載用パレットを仮置きする制御、及びこの仮置棚から空の車両搭載用パレットを取出す制御等を制御装置に容易に組み込むことができる。
【００１６】
また、前記駐車棚は、異高車種の車両を駐車させる駐車棚層に区分され、該駐車棚層は、所定車高で分類された異高車種の車両を駐車する駐車棚を有し、前記制御装置は、前記乗入れ部に待機させたエレベータ搬器の空の車両搭載用パレットに乗入れた車両を、その車高に応じた高さの前記駐車棚に格納した後、前記仮置棚に仮置きした空の車両搭載用パレットをエレベータ搬器に搭載して前記乗入れ部で待機させるように構成されていてもよい。このようにすれば、乗入れ部に待機しているエレベータ搬器の車両搭載用パレットに乗入れた車両を駐車棚へ搬送して格納した後、次の空の車両搭載用パレットを乗入れ部に待機させることが迅速にできるので、異高車種の車両を迅速に連続入庫させることができる。
【００１７】
さらに、前記駐車棚層は、前記分類された異高車種の車両ごとに格納する棚層に区分され、前記制御装置は、該棚層ごとに空の車両搭載用パレットを取出して前記仮置棚に仮置きするとともに前記エレベータ搬器に搭載するように構成されていてもよい。このようにすれば、異高車種の車両ごとに空棚が形成された棚層に、入庫した車両の車高に応じて迅速に搬送して格納することで、異高車種の車両を迅速に連続入庫させることができる。
【００１９】
一方、本発明に係るエレベータ式駐車装置の制御方法は、前記いずれかのエレベータ式駐車装置の制御方法であって、前記異高車種の各車種の駐車棚から空の車両搭載用パレットを取出して前記仮置棚に仮置きするとともに前記エレベータ搬器に搭載し、該エレベータ搬器を前記乗入れ部に待機させて、該エレベータ搬器の空の車両搭載用パレットに乗入れた車両を、該車両の車高に応じた高さの前記駐車棚に格納するようにしている。これにより、異高車種の車両の入庫に際し、乗入れ部に待機させた搬器の空の車両搭載用パレットに乗込んだ車両は、即座に各異高車種の駐車棚に形成した空棚へ迅速な入庫ができるので、迅速な連続入庫に対応することができる。
【００２０】
また、前記車両を車高に応じた高さの前記駐車棚に格納した後、前記仮置棚に仮置きした空の車両搭載用パレットをエレベータ搬器に搭載して前記乗入れ部で待機させるようにしてもよい。このようにすれば、乗入れ部に待機させた搬器の空の車両搭載用パレットに乗入れた車両を即座に駐車棚に格納した後、次の空の車両搭載用パレットを迅速に乗入れ部に待機させることができる。
【発明の効果】
【００２１】
本発明によれば、大きな建築工事を要することなく、異高車種の駐車棚を利用した仮置棚に空の車両搭載用パレットを仮置きし、異高車種の連続入庫に対して迅速に対応できるエレベータ式駐車装置を構成することが可能となる。
【００２２】
しかも、既設のミックス型エレベータ式駐車装置においても、仮置棚を駐車棚に増設することで異高車種の連続入庫が可能なミックス型エレベータ式駐車装置への改造が容易に可能となる。
【図面の簡単な説明】
【００２３】
【図１】本発明を採用したミックス型エレベータ式駐車装置の全体概略正面図である。
【図２】図１に示すII−II矢視拡大平面図である。
【図３】図２に示すIII−III矢視拡大側面図である。
【図４】図１に示すエレベータ式駐車装置の制御ブロック図である。
【図５】(a) 〜(j) は、図１に示すエレベータ式駐車装置による連続入庫制御方法の順次動作説明図である。
【発明を実施するための形態】
【００２４】
以下、本発明の一実施形態を図面に基づいて説明する。以下の実施形態では、３車種の車高で分類された異高車種の棚層（Ｈ棚層、Ｍ棚層、Ｎ棚層）群を上・中・下層群として区分したミックス型エレベータ式駐車装置を例にし、全ての駐車棚を利用契約方式としている場合を説明する。また、この明細書及び特許請求の範囲の書類中における上下左右方向の概念は、図１に示すように駐車装置の正面に向った状態の上下左右方向の概念と一致するものとする。
【００２５】
図１に示すように、この実施形態のエレベータ式駐車装置１は、鉄骨構造体の外面に外装板が設けられた駐車塔２を有し（図は正面外装板を除去した状態）、この駐車塔２の地上１階が乗入れ部３となっている。この乗入れ部３にはピット４が形成され、前部には入出庫口６が設けられている。この入出庫口６には、入出庫口扉７が設けられている。また、入出庫口６の外部の右方側部には運転操作盤８が配設され、乗入れ部３内には制御装置５０が配設されている。さらに、駐車塔２の中央鉛直方向に昇降路２５が形成され、この昇降路２５を挟んで左右両側方の鉛直方向に設けられた棚柱９に、この実施形態では、複数段の駐車棚１０，１１，１２が設けられている。この駐車棚１０，１１，１２が設けられた部分が、駐車部である。
【００２６】
また、上記昇降路２５にはエレベータ搬器２０が設けられており、この搬器２０は、駐車塔２の上部機械室に設けられたエレベータ昇降駆動部２１によって巻かれる昇降用ワイヤロープ２２によって昇降させられるようになっている。この昇降用ワイヤロープ２２の反エレベータ搬器側には、カウンタウエイト２３が設けられている。また、搬器２０には、車輪３１が設けられたパレット３０を上記駐車棚１０，１１，１２との間で移載する機能と、パレット３０を乗入れ部３で乗入れ床５よりも持上げて旋回させる持上旋回機能とを有するパレット持上旋回兼移載機構２４が備えられている。このパレット持上旋回兼移載機構２４によって、各パレット３０が乗入れ部３において持上げられて１８０°旋回させられる。なお、このパレット持上旋回兼移載機構２４は、公知の手段が採用される。また、上記駐車塔２の右上方に示す一点鎖線の斜線は、建築基準法に基づく「中高層建築物の日影規制」の斜線制限線Ｌである。
【００２７】
そして、上記駐車棚１０，１１，１２が形成された部分が、ハイルーフ車ＨＶ（高車高車；以下、「Ｈ車」ともいう）用の高車高車用棚層１３（以下、「Ｈ棚層」ともいう）と、ミドルルーフ車ＭＶ（中車高車；以下、「Ｍ車」ともいう）用の中車高車用棚層１４（以下、「M棚層」ともいう）と、普通乗用車ＮＶ（低車高車；以下、「Ｎ車」ともいう）用の低車高車用棚層１５（以下、「Ｎ棚層」ともいう）とに区分されている。この例では、駐車塔２の上部からＨ棚層１３、Ｍ棚層１４、Ｎ棚層１５が配置され、Ｈ棚層１３にはＨ棚１０、Ｍ棚層１４にはＭ棚１１、Ｎ棚層１５にはＮ棚１２がそれぞれ配設されている。
【００２８】
なお、上記ハイルーフ車ＨＶ、ミドルルーフ車ＭＶ、普通乗用車ＮＶを分類する所定車高としては、この実施形態では、例えば、上記ハイルーフ車ＨＶを、車高２０００ｍｍ以下とし、ミドルルーフ車ＭＶはハイルーフ車ＨＶよりも２００〜２５０ｍｍ低く、普通乗用車ＮＶは更に２００〜２５０ｍｍ低く設定されている。これら異高車種の車高設定値は、適宜決定すればよい。
【００２９】
また、この実施形態では、駐車棚１０，１１，１２とＨ棚１０、Ｍ棚１１、Ｎ棚１２とを上・中・下層群の３層群に区分しているが、例えば、高層群と低層群との２層群に区分し、各層群にＨ棚１０、Ｍ棚１１、Ｎ棚１２をそれぞれ配置したミックス型のレイアウトでもよく、各層群の構成及び各棚の配置は、この実施形態に限定されるものではない。
【００３０】
そして、上記Ｍ棚層１４の最上部Ｍ棚１１の左・右両側方の対応する位置には、空パレット３０ａを仮置きする仮置棚４０が設けられている。この仮置棚４０は、左右それぞれの両棚柱９に棚受け部材４１を固定し、これらの棚受け部材４１の間に棚レール４２を固定することによって設けられている。この仮置棚４０に仮置きされる空のパレット３０は、後述するように仮置き及び取出されるので、左・右の対応する位置に配設するのが制御動作上好ましい。また、この仮置棚４０には、後述するようにして各棚層１３，１４，１５から１台ずつ取出した空パレット３０ａの内の２台が仮置きされる。
【００３１】
図２，３に示すように、上記Ｍ棚層１４に設けられた仮置棚４０はＭ棚層１４の最上部の駐車棚１１に設けられており、駐車塔２の鉄骨主柱２ａ、梁２ｂ等によって形成された鉄骨構造体に固定された棚柱９に、棚受け部材４１を固定し、この棚受け部材４１に棚レール４２を固定している。この棚受け部材４１及び棚レール４２は、他の駐車棚１０，１１，１２における棚受け部材１７及び棚レール１８と同一の構成である。また、仮置棚４０は、通常の駐車棚１１の高さＭＨ内に設けられており、Ｍ車ＭＶを格納していない時にのみ空パレット３０ａを仮置きすることができるようになっている。従って、図３に二点鎖線で示すように、この仮置棚４０は、仮置きした空パレット３０ａが取出された後は、Ｍ棚１１としてＭ車ＭＶを搭載したパレット３０が格納されるようになっている。
【００３２】
図４に示すように、上記エレベータ式駐車装置１の制御ブロックとしては、この実施形態では全ての駐車棚１０〜１２を利用契約方式としているため、「契約者暗証番号及びＩＣカードＩＤ、車両車種（Ｈ車、Ｍ車、Ｎ車）、現在駐車棚番号、などを登録及び記憶しておくＲＡＭや、ＲＯＭ、ＣＰＵ等を備えた制御装置５０と、エレベータの昇降駆動部、パレットの持上げ・旋回・移載駆動部、入出庫口扉の開閉駆動部等を備えた駆動部５１と、乗入れ部の車両・人検知手段、入出庫口の車両・人検知手段等を備えた検知部５２と、上記運転操作盤８とが、Ｉ／Ｏ装置５３（入出力装置）を介して接続されており、各部の間で信号の送受信が行われるようになっている。
【００３３】
また、上記運転操作盤８には、最上部に表示部５４が設けられ、その下方に、「スタート」釦、「安全確認」釦、「終了扉閉」釦、「空呼」、「暗証」、「取消」の各釦が配置された釦部５５が設けられている。この釦部５５の側方には、「入口番号」と「呼番号」の表示部５６、入出庫を行うパレット番号や暗証番号の入力等に使用されるテンキー５７、「非常停止」釦５８が設けられている。
【００３４】
さらに、上記テンキー５７の側方には、駐車契約会員毎に提供されているＩＣカード５９によって認証できるＩＣ操作部６０が設けられている。このＩＣ操作部６０には、認証可能状態で点灯している「緑ランプ」とＩＣカード５９を点線部分にかざしたときに点灯する「赤ランプ」とが設けられている。このＩＣ操作部６０にＩＣカード５９をかざすと、記憶されたＩＤが入力される。また、最下部には、「制御電源」、「運転モード」、「運転管理」の各選択スイッチが配設されたスイッチ部６１が設けられている。
【００３５】
そして、このように構成されたエレベータ式駐車装置１において、以下に説明するようにして連続入庫制御を行う態勢の事前配備として、図１に示すように、異高車種として分類したＨ棚層１３、Ｍ棚層１４、Ｎ棚層１５から各１台ずつ、計３台の空パレット３０ａを取出し、このうち２台の空パレット３０ａを仮置棚４０に格納し、１台の空パレット３０ａを搬器２０に搭載して、この搬器２０を乗入れ部３に待機させておく。
【００３６】
図５(a) 〜(j) は、上記空パレット３０ａの事前配備により、Ｈ棚層１３、Ｍ棚層１４、Ｎ棚層１５に１つずつ空棚１６が形成され、他の駐車棚１０，１１，１２には全て入庫している状態を示している。そして、以上のように構成されたエレベータ式駐車装置１によれば、以下のようにして連続入庫制御を行うことができる。以下、各図に基いてエレベータ式駐車装置１による連続入庫制御方法の順次動作一例を説明する。
【００３７】
図５(a) ；いま、上記事前配備した状態で、例えば、Ｈ車ＨＶの入庫要求があったとすれば、即座に乗入れ部３に待機している搬器２０上の空パレット３０ａにＨ車ＨＶが乗り込み、入庫を受け入れる。そして、搬器２０の上昇・移載動作により、Ｈ車搭載のパレット３０がＨ棚層１３の空棚１６に格納される。
【００３８】
図５(b) ；上記Ｈ車ＨＶを搭載した実車パレット３０の格納を終えた搬器２０は、乗入れ部３に戻る途中で、Ｍ棚層１４の左側仮置棚４０から空パレット３０ａを取出して搭載したうえで下降し、乗入れ部３に着床して待機する。
【００３９】
図５(c) ；次ぎにＭ車ＭＶの入庫要求があれば、Ｍ車ＭＶは待機中の搬器２０に搭載の空パレット３０ａに乗り込み、即座に搬器２０の上昇・移載動作によりＭ棚層１４の空棚１６に格納される。
【００４０】
図５(d) ；上記Ｍ車ＭＶを搭載した実車パレット３０の格納を終えた搬器２０は、乗入れ部３に戻る前に、若干上昇してＭ棚層１４の右側仮置棚４０から空パレット３０ａを取出して搭載したうえで下降し、乗入れ部３に着床して待機する。
【００４１】
図５(e) ；次ぎにＮ車ＮＶの入庫要求があれば、Ｎ車ＮＶは待機中の搬器２０に搭載の空パレット３０ａに乗り込み、即座に搬器２０の上昇・移載動作によりＮ棚層１５の空棚１６に格納される。この動作により、Ｈ棚層１３、Ｎ棚層１５は満車となり、更に入庫要求があるとすれば、仮置棚４０を設けているＭ棚層１４のM車ＭＶということになる。
【００４２】
図５(f) ；上記Ｎ車ＮＶを搭載した実車パレット３０の格納を終えた搬器２０は、乗入れ部３に戻る前に、若干上昇して仮置棚４０を配設したＭ棚層１４の右側Ｍ棚１１から空パレット３０ａを取出して搭載したうえで下降し、乗入れ部３に着床して待機する。
【００４３】
図５(g) ；続いてＭ車ＭＶの入庫要求があれば、Ｍ車ＭＶは待機中の搬器２０に搭載の空パレット３０ａに乗り込み、即座に搬器２０の上昇・移載動作により上記図５(f) で取出したＭ棚１１に格納される。
【００４４】
図５(h) ；上記(b) でＭ車ＭＶを搭載した実車パレット３０の格納を終えた搬器２０は、その位置で左側のＭ棚１１から空パレット３０ａを取出して搭載したうえで下降し、乗入れ部３に着床して待機する。
【００４５】
図５(i) ；更にＭ車ＭＶの入庫要求があれば、Ｍ車ＭＶは待機中の搬器２０に搭載の空パレット３０ａに乗り込み、即座に搬器２０の上昇・移載動作により上記図５(h) で取出したＭ棚１１に格納される。
【００４６】
図５(j) ；これでＨ棚層１３、Ｍ棚層１４、Ｎ棚層１５とも全て実車パレット３０で埋まり満車状態となる。
【００４７】
このようにして満車状態となった次ぎの入出庫要求は必ず「出庫」要求であるため、上記図５(j) でのＭ車ＭＶを搭載した実車パレット３０をＭ棚１１に格納した後の搬器２０は、乗入れ部３に戻らず、その棚階で待機させられる。これにより、出庫優先モードとなる。
【００４８】
なお、上記例では、図５(a) で最初にＨ車ＨＶの入庫要求があった場合を説明したが、図５(a) の状態であれば、Ｍ車ＭＶ及びＮ車ＮＶのいずれの入庫要求があった場合でも即座に入庫を受入れることができ、全ての異高車種において迅速な入庫作業を行うことができる。
【００４９】
また、上記例では、Ｈ棚層１３、Ｍ棚層１４、Ｎ棚層１５に１つずつ空棚１６が形成され、他の駐車棚１０，１１，１２には全て入庫している状態を説明したが、各駐車棚１０，１１，１２に多くの空棚１６がある場合でも、各異高車種の駐車棚１０，１１，１２に空棚１６を形成しておいて、乗入れ部３に待機させた搬器２０に搭載されたパレット３０に入庫した車両を即座にその車両に適した空棚１６に格納できるように制御される。
【００５０】
以上のように、上記エレベータ式駐車装置１によれば、異高車種を格納するミックス型エレベータ式駐車装置において、異高車種数よりも少なくとも１つ少ない数の仮置棚４０を駐車棚１０，１１，１２の部分に設け、この仮置棚４０とエレベータ搬器２０とに空パレット３０ａを配置して待機させて上述したように制御することにより、異高車種の連続入庫に対して迅速に対応できるエレベータ式駐車装置１を構成することが可能となる。
【００５１】
しかも、駐車塔２の地上全高としては、通常の乗入れ部３の高さｈ２と、駐車部と上部機械室の高さを合わせた高さｈ１との合計高さｈ３であり、ピット４の深さも通常のピット深さＰＨであるため、乗入れ部３のピット４を深くすることが無いので建築工事費の増加を抑えることができ、また駐車塔２の地上全高を高くすることが無いので屋根部が日影規制の斜線制限線Ｌに干渉することもなく、迅速な連続入庫が可能な異高車種ミックス型エレベータ式駐車装置１を容易に構成することができる。
【００５２】
その上、既設のミックス型エレベータ式駐車装置においても、仮置棚４０を駐車棚１０，１１，１２の何処かに増設（棚受け部材４１と棚レール４２の増設）するという簡単な工事と、制御装置５０のプログラム変更等で迅速な連続入庫が可能なミックス型エレベータ式駐車装置へ改造することが容易にできる。
【００５３】
なお、上記実施形態では、異高車種を３車種（Ｈ、Ｍ、Ｎ）としたが、２車種（ＨとＮ、又はＭとＮ等）でもよく、異高車種の分類車種は上記実施形態に限定されるものではない。異高車種が２車種の場合、仮置棚４０は１つでよい。
【００５４】
また、上記実施形態では、仮置棚４０をＭ棚層１４の昇降路２５を挟んだ左・右対応する位置に設けたが、Ｈ棚層１３やＮ棚層１５の左・右対応する位置に設けてもよい。さらに、上記２つの仮置棚４０は、例えば、Ｈ棚層１３の１つの棚と、Ｍ棚層１４の１つの棚とに設けるようにして、異なる異高車種の棚層１３〜１５に振り分けて配設してもよい
また、上述した実施形態は一例を示しており、本発明の要旨を損なわない範囲での種々の変更は可能であり、本発明は上述した実施形態に限定されるものではない。
【産業上の利用可能性】
【００５５】
本発明に係るエレベータ式駐車装置の制御方法は、異高車種の駐車が可能なミックス型エレベータ式駐車装置において利用できる。
【符号の説明】
【００５６】
１  エレベータ式駐車装置
２  駐車塔
３  乗入れ部
４  ピット
５  乗入れ床
８  運転操作盤
９  棚柱
１０  駐車棚（Ｈ棚）
１１  駐車棚（Ｍ棚）
１２  駐車棚（Ｎ棚）
１３  高車高車用棚層（Ｈ棚層）
１４  中車高車用棚層（Ｍ棚層）
１５  低車高車用棚層（Ｎ棚層）
１６  空棚
１７  棚受け部材
１８  棚レール
２０  エレベータ搬器
２４  パレット移載兼持上旋回機構
２５  昇降路
３０  車両搭載用パレット
３０ａ  空パレット
３１  車輪
４０  仮置棚
４１  棚受け部材
４２  棚レール
５０  制御装置
Ｌ  斜線制限線
ＨＶ  ハイルーフ車（Ｈ車）
ＭＶ  ミドルルーフ車（Ｍ車）
ＮＶ  普通乗用車（Ｎ車）
【図１】
0005476140.tif 000002
【図２】
0005476140.tif 000003
【図３】
0005476140.tif 000004
【図４】
0005476140.tif 000005
【図５】
0005476140.tif 000006